(57)【特許請求の範囲】
【請求項１】
電気機器であって、
開口部を有し、前記開口部を介して対象物を収納するための槽と、
前記開口部を開閉するための蓋と、
前記槽の重量を検出するための検出部と、
前記電気機器を制御するための制御部と、
前記制御部に電力を供給するための電源回路と、
前記電源回路による電力の供給または停止を指示するための電源操作部と、を備え、
前記電源回路は、前記電源操作部によって電力供給が停止している場合に、前記検出部が検出する前記重量が閾値以上になったとき、電力供給を開始し、前記制御部は予め定められた処理を実施する、電気機器。
【請求項２】
前記蓋を閉状態にロックするためのロック部を、さらに備え、
前記制御部は、前記予め定められた処理として、
前記ロックを解除するように前記ロック部を制御する、請求項１に記載の電気機器。
【請求項３】
前記制御部は、前記予め定められた処理として、予め定められた報知を実施する、請求項１または２に記載の電気機器。
【請求項４】
前記蓋の開閉を検出する開閉センサをさらに備え、
前記制御部は、前記予め定められた処理として、
前記蓋が閉状態であれば、予め定められた報知を実施する、請求項１から３のいずれか１項に記載の電気機器。
【請求項５】
前記電気機器に対する操作を受付ける操作受付部をさらに備え、
前記制御部は、さらに、
前記蓋の閉状態が予め定められた時間継続する場合に、当該時間内において、前記操作受付部により電気機器に対する操作が受付けられないときは、前記報知を実施する、請求項４に記載の電気機器。
【請求項６】
前記電気機器は、さらに、
前記槽に対して空気を循環させるための循環路と、
前記循環路の中途に形成されて、当該循環路の内部と機外とを通気するための通気口と、
前記通気口の通気を許可または禁止するように開閉される開閉部と、を備え、
前記制御部は、前記予め定められた処理として、
前記通気口を開くように前記開閉部を制御する、請求項１から５のいずれか１項に記載の電気機器。
【請求項７】
前記制御部は、
前記電気機器が運転終了したときに、その後は前記通気口が開状態となるよう、前記開閉部を制御する、請求項６に記載の電気機器。
【請求項８】
前記電気機器は、
それぞれが、前記循環路の異なる位置に形成される複数の前記通気口を備え、
前記複数の通気口のうちの少なくとも１つは前記槽の上部の側に形成されて、残りの通気口のうちの少なくとも１つは前記槽の下部の側に形成される、請求項７に記載の電気機器。
【請求項９】
前記電気機器が運転終了したときに、その後は前記上部の側の通気口、および前記下部の側の通気口が開状態となるよう、前記開閉部を制御する、請求項８に記載の電気機器。
【請求項１０】
前記循環路の中途に配置された送風機を、さらに備え、
前記制御部は、前記予め定められた処理として、
前記送風機の運転を開始するように制御する、請求項６から９のいずれか１項に記載の電気機器。
【発明の詳細な説明】
【技術分野】
【０００１】
本発明は電機機器に関し、特に、開閉自在の蓋を有する電気機器に関する。
【背景技術】
【０００２】
特許文献１（特開２０１１−６７３０１号公報）は、ドラム型洗濯乾燥機を開示する。特許文献２（特開２００４−６５４０８号公報）および特許文献３（特開２００４−７３４６８号公報）は、洗濯機において、槽内に子供が誤って落ちた場合の対策を実施するための構成を示す。
【先行技術文献】
【特許文献】
【０００３】
【特許文献１】特開２０１１−６７３０１号公報
【特許文献２】特開２００４−６５４０８号公報
【特許文献３】特開２００４−７３４６８号公報
【発明の概要】
【発明が解決しようとする課題】
【０００４】
ドラム型洗濯乾燥機または洗濯機では、運転終了後の電力供給停止の期間においては、扉を開けて人がドラム内に入る可能性がある。したがって、この期間にドラムに人が入った場合には、機器自身がなにかしら対策をとるような、利便性に優れた電気機器の提供が望まれる。
【課題を解決するための手段】
【０００５】
この開示のある局面に従う電気機器は、開口部を有し、開口部を介して対象物を収納するための槽と、開口部を開閉するための蓋と、槽の重量を検出するための検出部と、電気機器に電力を供給するための電源回路と、電気機器を制御するめの制御部と、を備え、制御部は、電源回路による電力供給が停止している場合に、検出部からの出力に基づき重量が閾値以上になったと判断したとき、電力供給を開始するように電源回路を制御する。
【０００６】
好ましくは、蓋を閉状態にロックするためのロック部を、さらに備え、制御部は、電源回路による電力供給が停止している場合に、重量が閾値以上になったと判断したとき、ロックを解除するようにロック部を制御する。
【０００７】
好ましくは、制御部は、電源回路による電力供給が停止している場合に、重量が閾値以上になったと判断したとき、予め定められた報知を実施する。
【０００８】
好ましくは、蓋の開閉を検出する開閉センサをさらに備え、制御部は、電源回路による電力供給が停止している場合に、重量が閾値以上になったと判断したとき、蓋が閉状態であれば、出力部を介して、予め定められた報知を実施する。
【０００９】
好ましくは、電気機器に対する操作を受付ける操作受付部と、蓋の開閉を検出する開閉センサと、をさらに備え、制御部は、さらに、閉状態が予め定められた時間継続する場合に、当該時間内において、操作受付部により電気機器に対する操作が受付けられないときは、報知を実施する。
【００１０】
好ましくは、電気機器は、さらに、槽に対して空気を循環させるための循環路と、循環路の中途に形成されて、当該循環路の内部と機外とを通気するための通気口と、通気口の通気を許可または禁止するように開閉される開閉部と、を備え、制御部は、電源回路による電力供給が停止している場合に、重量が閾値以上になったと判断したとき、通気口を開くように開閉部を制御する。
【００１１】
好ましくは、制御部は、電気機器が運転終了したときに、その後は通気口が開状態となるよう、開閉部を制御する。
【００１２】
好ましくは、電気機器は、それぞれが、循環路の異なる位置に形成される複数の通気口を備え、複数の通気口のうちの少なくとも１つは槽の上部の側に形成されて、残りの通気口のうちの少なくとも１つは槽の下部の側に形成される。
【００１３】
好ましくは、電気機器が運転終了したときに、その後は上部の側の通気口、および下部の側の通気口が開状態となるよう、開閉部を制御する。
【００１４】
好ましくは、循環路の中途に配置された送風機を、さらに備え、制御部は、電源回路による電力供給が停止している場合に、重量が閾値以上になったと判断したとき、運転を開始するよう送風機を制御する。
【発明の効果】
【００１５】
本開示によれば、利便性に優れた電気機器を得ることができる。
【図面の簡単な説明】
【００１６】
【図１】実施の形態１に係るドラム式洗濯機１の外観を示す斜視図である。
【図２】実施の形態１に係る操作パネル４０の外観を示す図である。
【図３】実施の形態１に係るドラム式洗濯機１の内部構造を模式的に示す縦断面図である。
【図４】実施の形態１に係るドラム式洗濯機１の制御構造を模式的に示す図である。
【図５】実施の形態１に係る重量スイッチ５２と関連した回路を模式的に示す図である。
【図６】実施の形態１に係る重量スイッチ５２と関連した回路の他の例を模式的に示す図である。
【図７】実施の形態１に係る重量変化検出時の処理のフローチャートである。
【図８】実施の形態１に係るロック解除と報知の処理フローである。
【図９】図８のステップＳ１５の報知処理を示すフローチャートである。
【図１０】実施の形態２に係るドラム式洗濯機１の制御構造を模式的に示す図である。
【図１１】実施の形態２に係る循環路６における空気の流れを説明するための図である。
【図１２】実施の形態２に係る循環路６における空気の流れの他の例を説明するための図である。
【図１３】実施の形態３に係るフラップ制御の処理フローチャートである。
【発明を実施するための形態】
【００１７】
以下、図面を参照しつつ、実施の形態に係る電気機器を説明する。
［実施の形態１］
（概要）
本実施の形態１に係る電気機器は、槽の重量を検出する検出部を備え、電源回路による当該電気機器に対する電力供給が停止している場合に、検出部の出力から槽の重量が閾値以上になったと判断したときは、電気機器への電力供給を開始する。
【００１８】
これにより、電気機器に電力が供給されていない場合に、槽の重量が閾値以上になったときは、電気機器への電力供給を開始し、各部を稼働可能な状態に移行させることができる。電力供給が開始されることで、電気機器を、後述するような蓋のロック解除、送風機による槽内への空気送り込み、音声報知等を実施可能な状態に移行させることができる。
【００１９】
実施の形態１ではドラム式洗濯機１について説明する。ドラム式洗濯機１は、「電気機器」の一実施例である。電気機器は、ドラム式洗濯機１に限定されず、衣類乾燥機、食器洗浄機等のように対象物を収容する槽と、槽の開口部を開閉する蓋を有した電気機器を含む。
【００２０】
以下、図面を参照しつつ、本発明の各実施の形態について説明する。以下の説明では、同一の部品には同一の符号を付してある。それらの名称および機能も同一である。したがって、それらについての詳細な説明は繰返さない。
【００２１】
（外観）
図１は、実施の形態１に係るドラム式洗濯機１の外観を示す斜視図である。図１に示すように、ドラム式洗濯機１は、略直方体形状の筺体１Ａを有する。ドラム式洗濯機１は、筺体１Ａの前面に設けられた開口部および扉を備える。扉は、扉本体１０と内扉２０（後述する）とから構成される。扉は、開口部を開閉するためにヒンジ機構を介して筺体１Ａに取付けられる。扉本体１０には、扉を開閉するために操作されるレバー９が取付けられている。扉は、「蓋」の一実施例である。開口部は、後述する洗濯槽２のドラム３に、洗濯または乾燥の対象物を出し入れするために設けられる。また、筺体１Ａの上部には、操作パネル４０および洗剤等の投入部４５が設けられている。
【００２２】
（操作パネル）
図２は、実施の形態１に係る操作パネル４０の外観を示す図である。図２を参照して、操作パネル４０は、ドラム式洗濯機１に対するユーザの操作を受付けるために操作されるキー群１２Ａ（図４参照）、ＬＥＤ（Light  Emitting  Diode）ランプ１３Ａ、およびドラム式洗濯機１の運転に関する情報を表示するためのディスプレイ１４Ａを含む。
【００２３】
キー群１２Ａは、ドラム式洗濯機１の各部への電力の供給または停止を指示するために操作される電源の「入」または「切」の電源キー１２１、運転の開始または一時停止を指示するために操作されるキー１２２、キー１２３、運転キー１２４を含む。キー１２３は、ドラム式洗濯機１に対して、扉をロックまたはロック解除するために操作される。
【００２４】
ＬＥＤランプ１３Ａは、扉のロックまたは解除を報知するために、点灯または点滅する。キー１２３とＬＥＤランプ１３Ａとは、図２では別体としているが、一体的に構成されてもよい。
【００２５】
ドラム式洗濯機１は、複数の運転モード（予約運転、洗い運転、すすぎ運転、脱水運転、乾燥運転等）を有し、運転キー１２４の操作により指示された運転モードに従う運転を実施する。
【００２６】
（内部構造）
図３は、実施の形態１に係るドラム式洗濯機１の内部構造を模式的に示す縦断面図である。図３に示すように、ドラム式洗濯機１の筺体１Ａは内部に、ドラム３を有した洗濯槽２を備える。ドラム３は回転軸（図示せず）を介して洗濯槽２に保持されるとともに洗濯槽駆動モータ４に接続されている。ドラム３は、洗濯または乾燥の対象である対象物（典型的には衣類）を収容するための「槽」の一実施例である。
【００２７】
ドラム式洗濯機１は、洗濯槽２を支持するための支持ダンパ８Ａ、および支持ダンパ８Ａに関連して設けられた重量スイッチ５２を備える。支持ダンパ８Ａは、洗濯槽２の重みにより自身が延びる方向（図面、鉛直下方向）に伸縮自在である。洗濯槽２の重みで支持ダンパ８Ａが縮み、その結果、洗濯槽２が、支持ダンパ８Ａが延びる方向（図面、鉛直下方向）に移動した場合に、重量スイッチ５２は、その移動量に応じてオンするように構成されている。本実施の形態１では、重量スイッチ５２は、洗濯槽２の重量が増加して、重量が閾値以上になったとき、重量スイッチ５２からの出力は、オフ→オンに変化する。なお、実施の形態１では、上記の閾値は、子供の体重を基準に決定されて、例えば２０ｋｇとする。重量スイッチ５２は、「検出部」の一実施例である。
【００２８】
また、ドラム式洗濯機１は、乾燥運転時に、空気をドラム３内に流通させて槽内を乾燥させるための乾燥部４Ａおよび循環路６を備える。循環路６は、空気の送風路に対応する。
【００２９】
循環路６の中途には送風機４１が設けられている。送風機４１が、ファンモータ４２により駆動されて回転すると、ドラム３の内部の空気は循環路６を介して吸い出され、循環路６の空気はドラム３の内部に吹き込まれる。また、循環路６の中途の周壁に形成された通気のための吸気口および排気口に関連してダンパ６Ａが設けられている。ダンパ６Ａは、吸気口および排気口を開閉するように動作する。開動作した場合には、機外の空気は循環路６内に吸気され、循環路６内の空気は排気口から機外に送出される、閉動作した場合には、当該換気は停止する。
【００３０】
（制御構造）
図４は、実施の形態１に係るドラム式洗濯機１の制御構造を模式的に示す図である。図４を参照して、ドラム式洗濯機１は、ドラム式洗濯機１を制御する制御回路５を備える。制御回路５には、ドラム式洗濯機１の各部が接続される。制御回路５の主要な構成要素としてマイクロコンピュータ２２を備える。マイクロコンピュータ２２は、ＣＰＵ（Central  Processing  Unit）２３、プログラムおよびデータを記憶するための記憶部（ＲＡＭ（Random  Access  Memory）２４、ＲＯＭ（Read  Only  Memory）２５）、運転を制御するための各種の時間を計測するためのタイマ２６、Ｉ／Ｏ（Input/Output）ポート２７、およびシステムバス２８を含む。マイクロコンピュータ２２の各部は、システムバス２８を介してデータを送受信する。制御回路５は、さらに、マイクロコンピュータ２２を含む各部に電力を供給するための電源回路３０、およびＩ／Ｏポート２７に接続された回路群を備える。
【００３１】
上記の回路群は、ダンパ６Ａを開閉駆動するモータを含むダンパ駆動部３１、キー群１２Ａの操作キーおよび重量スイッチ５２からの出力をマイクロコンピュータ２２に導出するためのＩ／Ｆ（Interfaceの略）回路３３、ＬＥＤランプ１３Ａを点灯/消灯するように駆動するＬＥＤ駆動回路３４、ディスプレイ１４Ａを表示するように駆動するディスプレイ駆動回路３５、扉をロックするためのロック部９Ａを駆動するロック駆動回路３６、負荷部１０３を駆動する負荷駆動回路３７、通信回路３８、およびセンサ部５０からの信号を雑音除去などの処理をした後に出力するセンサ回路３９を含む。センサ部５０は、扉の開閉を検出する開閉センサ５１を含む。
【００３２】
キー群１２ＡとＩ／Ｆ回路３３は、ドラム式洗濯機１に対する操作の内容を受付ける「操作受付部」に対応する。Ｉ／Ｆ回路３３は、キー群１２Ａの出力から、操作されたキーの種類、または操作パターン（押下の時間等）を示す信号をマイクロコンピュータ２２に導出する。また、Ｉ／Ｆ回路３３は、重量スイッチ５２からの出力をマイクロコンピュータ２２に導出する。
【００３３】
Ｉ／Ｏポート２７は、ＣＰＵ２３からのデータを信号に変換し各回路に出力する。また、Ｉ／Ｏポート２７は、各回路からの信号をデータに変換しＣＰＵ２３に出力する。
【００３４】
電源キー１２１の「入」操作がされたとき、マイクロコンピュータ２２は電力が供給開始されて、ドラム式洗濯機１の各部に電力が供給されるよう電源回路３０を制御する。また、電源キー１２１の「切」操作がされたとき、マイクロコンピュータ２２への電力供給は停止する。このとき、マイクロコンピュータ２２は、負荷駆動回路３７を含む予め定められた各部への電力供給が停止するように電源回路３０を制御する。
【００３５】
負荷駆動回路３７に接続される負荷部１０３は、洗濯槽駆動モータ４を含む各種のモータ、給排水の弁、ポンプ、および送風機４１のファンモータ４２を含む。負荷駆動回路３７は、ＣＰＵ２３からの制御信号に基づき、これら各部を制御する。
【００３６】
通信回路３８は、外部機器と無線ＬＡＮ（Local  Area  Network）通信するためのモデムなどを含む。通信回路３８は、マイクロコンピュータ２２からのデータを変調し、変調により得られた信号を、アンテナを介して外部機器に送信する。また、通信回路３８は、外部機器からアンテナを介して受信する信号を復調し、復調により得られたデータをマイクロコンピュータ２２に出力する。
【００３７】
上記の外部機器は、スマートフォン等の携帯型の端末１００を含む。端末１００はタッチパネル１０Ａを備える。コンピュータは、タッチパネル１０Ａをユーザが操作して入力されたデータをドラム式洗濯機１に送信し、また、ドラム式洗濯機１から受信したデータをタッチパネル１０Ａに表示する。なお、ドラム式洗濯機１と端末１００とは、ペアリングにより相互に通信可能な状態となる。
【００３８】
（ロックとロック解除）
実施の形態１では、扉と筺体１Ａとは、互いに係合する部材（図示せず）を有する。扉が開口部を覆うように閉じられたとき（閉状態となったとき）、当該部材同士が係合する。上記のレバー９は係合部に関連して設けられている。レバー９が開操作されると、当該開操作に連動して係合が外れて、扉は閉状態→開状態に変化する。
【００３９】
ロック部９Ａは、上記の係合部に関連したソレノイドを有する。ＣＰＵ２３は、駆動信号をロック駆動回路３６に出力する。ロック駆動回路３６は、駆動信号を入力したとき、ロック部９Ａに電流を供給する。ソレノイドは、ロック駆動回路３６から電流が供給されるとき電磁力により内部のラッチが切り替わり、それに合わせて係合部の係合状態の保持（ロック）と解除が切り替わる。係合状態が保持（ロック）されているときは、レバー９が開操作されたとしても係合は外れない。一方、係合状態のロックが解除されているときは、レバー９が開操作により係合を外すことができて、扉を閉状態→開状態に変化させることが可能となる。
【００４０】
ロック部９Ａに関連してロック状態であるか否かを検知する検知スイッチ（図示せず）が設けられる。マイクロコンピュータ２２は、検知スイッチの出力に基づきロック状態であるか否かを判断する。
【００４１】
（重量スイッチの出力検出）
図５は、実施の形態１に係る重量スイッチ５２と関連した回路を模式的に示す図である。図５を参照して、電源キー１２１と重量スイッチ５２と自己保持リレー１０１が並列に接続されている。これらは、電源（ＡＣ１００Ｖ）に接続されている。電源キー１２１が操作される、または重量スイッチ５２がオンすると、自己保持リレー１０１は自己保持状態となる。電源キー１２１が操作または重量スイッチ５２がオンしたことにより、電源電圧は、ダイオードブリッジ回路、ＡＣ/ＤＣコンバータ１０４、トランス回路１０５を介して、定電圧回路１０６を介して、マイクロコンピュータ２２に印加される。これにより、マイクロコンピュータ２２のＣＰＵ２３は、重量スイッチ５２がオンしたこと、または電源キー１２１が操作されたことを判断することができる。
【００４２】
図６は、実施の形態１に係る重量スイッチ５２と関連した回路の他の例を模式的に示す図である。図６の回路は、ＣＰＵ２３が、入力信号に基づき、電源キー１２１が操作されたか、または重量スイッチ５２がオンしたかを判断するために、フォトカプラＰＣ１とＰＣ２を備える。他の回路は、図５に示されたものと同様である。
【００４３】
図６では、例えば、重量スイッチ５２がオンした場合は、重量スイッチ５２に接続されたフォトカプラＰＣ２が導通し、これにより、ノードＮ１の電位が変化し、マイクロコンピュータ２２のＣＰＵ２３はノードＮ１の電位が変化したことに基づき、重量スイッチ５２がオンしたことを判断する。一方、電源キー１２１が操作された場合は、電源キー１２１に接続されたフォトカプラＰＣ１が導通し、フォトカプラＰＣ１の導通によりノードＮ２の電位が変化し、ＣＰＵ２３はノードＮ２の電位が変化したことに基づき、電源キー１２１が操作されたことを判断する。
【００４４】
図５および図６の構成によれば、電源キー１２１が「切」操作されると、マイクロコンピュータ２２は自己保持リレー１０１の接点を開放し、ドラム式洗濯機１の全ての電源がオフされる。
【００４５】
また、電源キー１２１が「入」操作された場合と重量スイッチ５２がオンした場合（洗濯槽２の重量が閾値以上となった場合）に、マイクロコンピュータ２２は定電圧回路１０６を介して電源電圧が供給される状態となる。
【００４６】
また、電源キー１２１が「切」操作され重量スイッチ５２がオンした場合、マイクロコンピュータ２２は定電圧回路１０６を介して電源電圧が供給される状態となる。
【００４７】
なお、変形例として、マイクロコンピュータ２２は電源電圧が供給されない期間であっても、補助電源（図示せず）から電力供給されるとしてもよい。この場合には、マイクロコンピュータ２２は、電源キー１２１および重量スイッチ５２からの出力を割込みとして処理することにより、各部への電力供給の開始/停止を切替えることができる。
【００４８】
（電力供給開始の処理フロー）
図７は、実施の形態１に係る重量変化検出時の処理のフローチャートである。このフローチャートに従うプログラムは、定期的に実行される。
【００４９】
図７のフローチャートを参照して、ＣＰＵ２３は、重量スイッチ５２からの出力に基づき、洗濯槽２の重量が閾値（例えば２０ｋｇ）以上になったか否かを判断する（ステップＳ１）。
【００５０】
重量は閾値以上となっていないと判断されると（ステップＳ１でＮＯ）、ステップＳ１の処理が繰返される。一方、ＣＰＵ２３は、重量は閾値以上になったことを判断すると（ステップＳ１でＹＥＳ）、電源回路３０の端子電圧Ｖｄｄ，Ｖｓｓのレベルに基づき、電源回路３０により負荷駆動回路３７等に電力供給が停止中であるか否かを判断する（ステップＳ３）。
【００５１】
電力供給停止中と判断すると（ステップＳ３でＹＥＳ）、ＣＰＵ２３は、電力供給を開始するように電源回路３０を制御する（ステップＳ５）。これにより、負荷駆動回路３７を介して負荷部１０３に稼働可能な電力が供給される。
【００５２】
一方、電力供給停止中ではないと判断されると（ステップＳ３でＹＥＳ）、ＣＰＵ２３は、処理を終了する。
【００５３】
図７の処理によれば、運転終了後に電源回路３０による電力供給が停止中に、支持ダンパ８Ａが収縮し、洗濯槽２全体が図１の鉛直下方向（重力方向）に移動することで、洗濯槽２の直下に設けられた重量スイッチ５２がオンし、その結果、ドラム式洗濯機１の負荷部１０３に電力が供給開始される。
【００５４】
このように、ドラム式洗濯機１は、電力供給停止中に、電源キー１２１の「入」操作に応答して電力を供給開始するように電源回路３０を制御する機能と、これとは別に、重量スイッチ５２のオンにより電力を供給開始するように電源回路３０を制御する機能とを備えることができる。
【００５５】
（ロック解除と報知の処理フロー）
次に、上記の図７の処理によりドラム式洗濯機１に電力が供給開始された場合に、扉のロックを解除し、報知を実施する処理を説明する。図８は、実施の形態１に係るロック解除と報知の処理フローである。このフローチャートに従うプログラムは、上記のステップＳ５の処理後に開始される。
【００５６】
まず、ＣＰＵ２３は、上記に述べた検知スイッチの出力に基づき、扉が閉状態にロックされているか否かを判断する（ステップＳ７）。
【００５７】
ロックは解除されていると判断すると（ステップＳ７でＮＯ）、後述するステップＳ１１に移行する。一方、ＣＰＵ２３はロック中であると判断すると（ステップＳ７でＹＥＳ）、ＣＰＵ２３は駆動信号を出力する（ステップＳ９）。ロック部９Ａは、当該駆動信号が出力されたとき、扉のロックを解除する。
【００５８】
その後、ＣＰＵ２３は、ダンパ６Ａを、ダンパ駆動部３１を介して閉→開に切替えるよう制御する（ステップＳ１１）。これにより、循環路６内と機外との換気が実施される。
【００５９】
ＣＰＵ２３は、ファンモータ４２を介して運転を開始するよう送風機４１を制御する（ステップＳ１３）。また、ＣＰＵ２３は、出力部を介して、予め定められた報知を実施する（ステップＳ１５）。なお、図７では、ロック解除→送風機４１の運転開始→報知処理の順に実施されるが、実施の順番は、この順番に限定されない。
【００６０】
上記のように重量スイッチ５２の出力がオンに変化したときは、循環路６のダンパ６Ａを外気導入側に切替えるとともに送風機４１を運転開始することにより、循環路６を介してドラム３内に機外の空気を送り込むことができる。
【００６１】
図９は、図８のステップＳ１５の報知処理の２つの例を示すフローチャートである。１つの例として、図９（Ａ）では、ＣＰＵ２３は、まず扉が閉状態であるかを、開閉センサ５１の出力に基づき判断する（ステップＳ１７）。扉は閉状態ではない（ステップＳ１７でＮＯ）、すなわち扉は開状態であれば、ＣＰＵ２３は報知を実施せずに、元の図８の処理に戻るが、閉状態であると判断すると（ステップＳ１７でＹＥＳ）、出力部を介して報知を実施し（ステップＳ１９）、その後、元の図８の処理に戻る。これにより、洗濯槽２の重量の変化が閾値以上となったときは、その旨を報知することができる。
【００６２】
ステップＳ１９の報知として、ＣＰＵ２３は、例えば、図示しない音声出力部から予め定められた音声メッセージ、またはアラーム音を出力する。または、通信回路３８を介して、端末１００にアラーム，メッセージを送信する。端末１００は、受信メッセージをタッチパネル１０Ａに表示する。なお、出力部および出力態様はこれらに限定されない。
【００６３】
報知処理の他の例の図９（Ｂ）のフローチャートは、図９（Ａ）のフローチャートにステップＳ２３を追加している。その他の処理は、図９（Ａ）と同様であるから説明は繰返さない。図９（Ｂ）の場合には、ＣＰＵ２３は、開閉センサ５１からの出力に基づき、扉が開状態→閉状態に変化したことを判断した場合に、その後当該閉状態が継続する時間を計測する。ＣＰＵ２３は、当該継続時間を計測中に、Ｉ／Ｆ回路３３からユーザのキー操作を受付けたと判断したときは、計測を停止する。
【００６４】
図９（Ｂ）を参照して、ステップＳ２３では、ＣＰＵ２３は、計測された上記の継続時間に基づき、継続時間は予め定められた時間よりも長いか否かを判断する。つまり、ＣＰＵ２３は、当該予め定められた時間内において、ユーザのキー操作を受付けたか否かを判断する。ＣＰＵ２３は、継続時間は予め定められた時間よりも長いと判断すると（ステップＳ２３でＹＥＳ）、上記の報知処理（ステップＳ１９）を実施し、元の図８の処理に戻るが、継続時間は予め定められた時間以下であると判断すると（ステップＳ２３でＮＯ）、報知を実施せずに、元の図８の処理に戻る。
【００６５】
このように、アラーム音等の報知は、扉が開状態から閉状態に移行してから予め定められた時間を超えてもユーザのキー操作がなされないときに実施される。したがって、ドラム式洗濯機１の近くにユーザが居て何らかのキー操作を実施している場合には、アラーム音等の報知は不要であり、ユーザにとって不快となるようなアラーム音等の報知が禁止される。
【００６６】
実施の形態１では、図７〜図９に示すフローチャートに従うプログラムは、予めＲＯＭ２５に格納される。ＣＰＵ２３が、プログラムをＲＯＭ２５から読出し、読出されたプログラムを実行することにより図７〜図９の処理が実現される。
【００６７】
なお、実施の形態１では、重量スイッチ５２により洗濯槽２の重量が閾値以上になったことを検出したが、検出方法は、これに限定されない。例えば、洗濯槽２の重量を測定するセンサを設け、ＣＰＵ２３は当該センサの出力から洗濯槽２の重量と上記の閾値を比較し、比較の結果に基づき、重量が閾値以上となったか否かを判断するようにしてもよい。
【００６８】
また、実施の形態１では、洗濯槽２の重量が閾値以上になったときに、電力供給開始、ロック解除、ダンパ切替、送風機４１の運転および報知処理の全てを実施したが、実施方法はこれに限定されない。例えば、閾値として第１〜第５の複数個を設けて、重量が第１閾値になったときは電力供給開始を実施し、第２閾値（＞第１閾値）になったときは電力供給とロック解除を実施し、第３閾値（＞第２閾値）になったときは電力供給とロック解除とダンパ切替を実施し、第４閾値（＞第３閾値）になったときは電力供給とロック解除とダンパ切替と送風機４１の運転を実施し、第５閾値（＞第４閾値）になったときは電力供給とロック解除とダンパ切替と送風機４１の運転と報知処理を実施するとしてもよい。
【００６９】
［実施の形態２］
実施の形態２は、実施の形態１の変形例を示す。実施の形態２では、電力供給停止時に洗濯槽２内への空気取り込みが十分となるようなドラム式洗濯機１が提供される。
【００７０】
実施の形態１では、電源回路３０による電力供給が停止している場合に、重量スイッチ５２の出力がオンに変化したときは、機外と循環路６との換気はダンパ６Ａを介してのみ実施したが、外気の取り込み経路はダンパ６Ａを介した経路に限定されない。例えば、実施の形態２に示すように、循環路６に設けられたフラップを介した経路であってもよい。実施の形態２のフラップは、実施の形態１のダンパ６Ａとともに用いられてもよい。
【００７１】
実施の形態２に係るドラム式洗濯機１の構成は実施の形態１と基本的に同様である。また、実施の形態２でも図７〜図９の処理が実施される。したがって、ここでは実施の形態１とは相違する点を中心に説明する。
【００７２】
（制御構造）
図１０は、実施の形態２に係るドラム式洗濯機１の制御構造を模式的に示す図である。図８では、ドラム式洗濯機１は、図４のダンパ６Ａおよびダンパ駆動部３１に代えて、フラップ部３３Ａおよび当該フラップ部３３Ａを駆動するステッピングモータを含むフラップ駆動部３２を備える。他の構成は、図４に示したものと同様であるから説明は繰返さない。
【００７３】
（空気の流れ）
図１１は、実施の形態２に係る循環路６における空気の流れを説明するための図である。図１１を参照して、ドラム式洗濯機１は、筺体１Ａ内に、ドラム３を有した洗濯槽２、循環路６、送風路７、および循環路６に設けられた機器（集塵フィルタ４０Ａ、送風機４１、イオン発生器４３Ａ、加熱器４３Ｂ、吸気用のフラップ６Ｃおよび排気用のフラップ６Ｂ）を備える。上記のフラップ部３３Ａは、吸気用のフラップ６Ｃおよび排気用のフラップ６Ｂを含む。
【００７４】
また、ドラム式洗濯機１は、一端部が機外に向けて開口しており、他端部が循環路６に連結された送風路７を備える。送風路７の他端部と循環路６との連結部分には、フラップ６Ｂが設けられる。
【００７５】
筺体１Ａは、鉛直下方向の側が開放されており、循環路６および洗濯槽２に比べて、機密性が低い。洗濯槽２の開口部は、内扉２０によって開閉自在に閉塞される。内扉２０と扉本体１０とは同時的に開閉可能である。なお、図３に示すように扉本体１０のみで、洗濯槽２の開口部を閉塞する構造であってもよい。
【００７６】
洗濯槽２の開口上縁部には、供給口２１１が設けられている。供給口２１１の先端開口部（下流側開口部）は、ドラム３の内部に向けられており、供給口２１１の基端開口部（上流側開口部）へ送風された空気は、供給口２１１を通って、供給口２１１の先端開口部からドラム３の内部へ吹き入れられる。上記の鉛直下方向の側に対応する洗濯槽２の底壁下部には、常に開放されている排気口２１２が形成されている。
【００７７】
洗濯槽２の周壁最下部（上記の鉛直下方向の側に対応する部分）には、図示しない排水口が形成されており、排水口は、洗濯工程の実行中には閉塞される。乾燥工程の実行中には排水口は開放されて、乾燥により衣類から生じた水等は、排水口に導出される。排水口からの水は、例えば図示しない機外の下水道へ送られる。
【００７８】
ドラム３の周壁には、洗濯用水及び空気それぞれが容易に通過可能な複数個の貫通孔（図示せず）が形成されている。このため、扉により洗濯槽２の開口部が閉塞されている場合であっても、ドラム３の内外への空気等の出入りは自在である。
【００７９】
循環路６の内部では、図中の矢印方向に気流が生じる。この気流によれば、洗濯槽２の内部から空気を吸い出して洗濯槽２の内部へ吹き入れるように空気が循環する。
【００８０】
循環路６の集塵フィルタ４０Ａと送風機４１との間に位置する周壁には、吸気口３ａが形成されている。また、循環路６のイオン発生器４３Ａと加熱器４３Ｂとの間に位置する周壁には、排気口３ｂが形成されている。吸気口３ａは、フラップ６Ｃによって開閉自在に閉塞され、排気口３ｂは、フラップ６Ｂによって開閉自在に閉塞される。フラップ６Ｃおよび６Ｂは、通気のための吸気口３ａ及び排気口３ｂの下流側縁部にて、回動可能に支持されている。回動によりフラップを開いたとき、スムーズに空気の流れを導くことができる。
【００８１】
吸気口３ａ及び排気口３ｂは、ＣＰＵ２３がフラップ駆動部３２のステッピングモータを介して、フラップ６Ｂ，６Ｃのそれぞれの姿勢を変更することによって開閉が切り替えられる。具体的には、フラップ６Ｂは、その姿勢が可変に制御されて、機外に通じる送風路７と循環路６とが連通する連通状態または遮断される遮断状態に対応した姿勢を取り得る。また、フラップ６Ｃは、その姿勢が可変に制御されて、洗濯槽２側の空間と循環路６とが連通する連通状態または遮断される遮断状態に対応した姿勢を取り得る。
【００８２】
図１１によれば、外気に繋がる排気口３ｂのフラップ６Ｂを開いて、循環路６を外気と連通させる場合に、吸気口３ａのフラップ６Ｃも同様に開くことで、筺体１Ａ（すなわち洗濯槽２）の内圧低下を防ぐこことができる。また、循環路６を介して洗濯槽２（ドラム３）内に機外の空気を取り込むことが可能となる。
【００８３】
（空気の流れの他の例）
図１２は、実施の形態２に係る循環路６における空気の流れの他の例を説明するための図である。図１２では、フラップを機内の吸気口３ａに代えて、機外と連通する排気口３ｃに設けてもよい。
【００８４】
図１２を参照して、ドラム式洗濯機１の筺体１Ａの循環路６の排気口２１２と接続された周壁であって、上記の鉛直下方向の側に対応する部分には、排気口３ｃが形成されている。また、筺体１Ａの周壁の排気口３ｃに対応した部分には、開口部３ｄが形成されている。開口部３ｄは、機外と通じている。
【００８５】
開口部３ｄは、排気用のフラップ６Ｄによって開閉自在に閉塞される。フラップ６Ｄは、排気口３ｃにおいて、回動可能に支持されている。フラップ６Ｄを開いたとき、開口部３ｄからの外気を循環路６内に取込むことができる。なお、排気口３ｃは機外と連通するので、排気口３ｃには集塵フィルタがあることが好ましい。
【００８６】
図１２では、扉が位置する側の洗濯槽２の上部と、当該上部とは反対側の下部（上記の鉛直下方向の側に対応する部分）とにおいて、通気のための排気口３ｂは上部に近接して形成されて、残りの通気口である排気口３ｃは下部に近接して形成される。電力供給停止時に２箇所のフラップ６Ｂ，６Ｄを開口状態にすることで、容易に自然対流を発生させることが可能になる。なお、上部には排気口３ｂのみに限らず、複数の通気口が形成されてもよく、また、同様に下部でも排気口３ｃのみならず複数の通気口が形成されてもよい。
【００８７】
ＣＰＵ２３はフラップ駆動部３２を介して、フラップ６Ｄの開閉を切り替える（具体的には、フラップ６Ｄの姿勢を変更する）。なお、フラップ６Ｄの傾斜角度は、排気口３ｃを閉塞している状態を基準とすると、９０°未満（例えば４５°）であればよい。また、傾斜角度にて開くことにより、スムーズに空気を導くことができる。他のフラップ６Ｂ，６Ｃについても同様である。なお、フラップに代えて、例えば、シャッタを用いてもよい。
【００８８】
［実施の形態３］
実施の形態３は、実施の形態１と２の変形例を示す。上記の実施の形態では、ダンパ６Ａ、フラップ６Ｂ，６Ｃ，６Ｄは、電力供給停止時における重量スイッチ５２の出力がオンしたときに姿勢が制御されたが、姿勢制御の実施タイミングは、この時に限定されない。実施の形態３では、ドラム式洗濯機１が運転終了したときに、バンパ６Ａ、フラップ６Ｂ，６Ｃ，６Ｄが空気を導くことが可能な姿勢となるように切替られる。
【００８９】
図１３は、実施の形態３に係るフラップ制御の処理フローチャートである。このフローチャートに従うプログラムは、予めＲＯＭ２５に格納される。ＣＰＵ２３が、プログラムをＲＯＭ２５から読出し、読出されたプログラムを実行することにより処理が実現される。
【００９０】
図１３を参照して、ＣＰＵ２３は、洗濯運転等の運転中は、運転が終了するか否かを判断する（ステップＳ２５）。運転中と判断するときは（ステップＳ２５でＹＥＳ）、ステップＳ２５を繰返すが、運転終了と判断すると（ステップＳ２５でＹＥＳ）、ＣＰＵ２３は、ダンパ駆動部３１またはフラップ駆動部３２を介して、ダンパ６Ａまたはフラップ６Ｂ，６Ｃ，６Ｄを排気口または吸気口を開放するように制御する（ステップＳ２７）。その後、各部への電力供給を停止するよう電源回路３０を制御する（ステップＳ２９）。
【００９１】
次回の乾燥運転開始時には、ＣＰＵ２３は、ダンパ６Ａ，フラップ６Ｂ，６Ｃ，６Ｄを閉じるようにダンパ駆動部３１またはフラップ駆動部３２を制御することで（ただし、イオンを機外に放出する場合にはフラップ６Ｂが開ける）、循環路６およびドラム３内の気密性を得ることができて、乾燥効率を維持することができる。
【００９２】
図１３の処理によれば、運転終了後（電力供給停止後）は、ダンパ６Ａ，フラップ６Ｂ，６Ｃ，６Ｄを開いたままとすることで、常に、ドラム３および循環路６内は機外と連通した状態に維持することが可能となる。このため、電力供給停止中に重量スイッチ５２の出力がオンに変化したときは、循環路６およびドラム３内に機外の空気を取り込むことが可能（気密性を低くしておくことが可能）となる。なお、運転終了後は、ダンパ６Ａ，フラップ６Ｂ，６Ｃ，６Ｄのうち、少なくとも洗濯槽２の上部および下部のそれぞれの側に近接して形成された排気口３ｂおよび３ｃが開状態となるようにすれば、循環路６およびドラム３内の空気の自然対流を得ることができる。
【００９３】
なお、運転終了後もファンモータ４２へ電力を供給し続ける構成として、運転終了後はファンモータ４２により送風機４１を運転（低回転または間欠の運転を含む）することで、機外の空気を効率よく取り込むことができる。
【００９４】
なお、変形例として、ダンパ６Ａ，フラップ６Ｂ，６Ｃ，６Ｄを、ばねなどの弾性部材により、駆動部の動作によらず、自動的に開状態となる構造にしてもよい。閉状態とする際には駆動部の動作で閉じることができる。
【００９５】
［実施の形態の構成］
電気機器（ドラム式洗濯機１）は、開口部を有し、開口部を介して対象物を収納するための槽（洗濯槽２）と、開口部を開閉するための蓋（扉）と、槽の重量を検出するための検出部（重量スイッチ５２）と、電気機器に電力を供給するための電源回路（３０）と、電気機器を制御するめの制御部（マイクロコンピュータ２２）と、を備え、制御部は、電源回路による電力供給が停止している場合に、検出部からの出力に基づき重量が閾値以上になったと判断したとき、電力供給を開始するように電源回路を制御する。
【００９６】
したがって、電力供給停止時に、槽の重量が閾値以上となれば、電気機器に電力を供給開始することができる。
【００９７】
好ましくは、蓋を閉状態にロックするためのロック部（９Ａ）を、さらに備え、制御部は、電源回路による電力供給が停止している場合に、重量が閾値以上になったと判断したとき、ロックを解除するようにロック部を制御する。したがって、電力供給停止時に、槽の重量が閾値以上となれば、蓋のロックを解除することができる。
【００９８】
好ましくは、制御部は、電源回路による電力供給が停止している場合に、重量が閾値以上になったと判断したとき、予め定められた報知を実施する。したがって、電力供給停止時に、槽の重量が閾値以上となれば、その旨を報知することができる。
【００９９】
好ましくは、蓋の開閉を検出する開閉センサ（５１）をさらに備え、制御部は、電源回路による電力供給が停止している場合に、重量が閾値以上になったと判断したとき、蓋が閉状態であれば、出力部（ＬＥＤランプ１３Ａ等）を介して、予め定められた報知を実施する。したがって、電力供給停止時に、槽の重量が閾値以上となったときに、蓋が閉状態でれば、その旨を報知することができる。
【０１００】
好ましくは、電気機器に対する操作を受付ける操作受付部と、蓋の開閉を検出する開閉センサと、をさらに備え、制御部は、さらに、閉状態が予め定められた時間継続する場合に、当該時間内において、操作受付部により電気機器に対する操作が受付けられないときは、報知を実施する。したがって、電力供給停止時に、槽の重量が閾値以上となったとき、ユーザ操作なしに蓋の閉状態が予め定められた時間継続すれば、その旨を報知することができる。
【０１０１】
好ましくは、電気機器は、さらに、槽に対して空気を循環させるための循環路（６）と、循環路の中途に形成されて、当該循環路の内部と機外とを通気するための通気口と、通気口の通気を許可または禁止するように開閉される開閉部（バンパ６Ａ、フラップ６Ｂ、６Ｃ、６Ｄ）を備え、制御部は、電源回路による電力供給が停止している場合に、重量が閾値以上になったと判断したとき、通気口を開くように開閉部を制御する。したがって、電源回路による電力供給が停止している場合に、重量が閾値以上になったと判断したときは、通気口および循環路を介して内部を低圧にし、機外との換気を実施することができる。
【０１０２】
好ましくは、制御部は、電気機器が運転終了したときに、その後は通気口が開状態となるよう、開閉部を制御する。したがって、運転終了時以降は上記の換気の実施が可能となる。
【０１０３】
好ましくは、電気機器は、それぞれが、循環路の異なる位置に形成される複数の通気口を備え、複数の通気口のうちの少なくとも１つは槽の上部の側に形成されて、残りの通気口のうちの少なくとも１つは槽の下部の側に形成される。したがって、槽の上部と下部に形成された通気口（排気口３ｂ、３ｃ）により、循環路等を介して槽内における空気の自然対流を促すことができる。
【０１０４】
好ましくは、電気機器が運転終了したときに、その後は上部の側の通気口、および下部の側の通気口が開状態となるよう、開閉部を制御する。したがって、運転終了時に、槽の上部と下部に形成された通気口（排気口３ｂ、３ｃ）を上記の自然対流を促す状態に切替えて置くことができる。
【０１０５】
好ましくは、循環路の中途に配置された送風機を、さらに備え、制御部は、電源回路による電力供給が停止している場合に、重量が閾値以上になったと判断したとき、運転を開始するよう送風機を制御する。したがって、電力供給停止時であっても、送風機を運転しておくことにより、循環路を介して槽内における空気の強制対流を実施することができる。
【０１０６】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【０１０７】
１  ドラム式洗濯機、１Ａ  筺体、２  洗濯槽、３  ドラム、３ａ  吸気口、３ｂ，３ｃ，２１２  排気口、３ｄ  開口部、６  循環路、６Ａ  ダンパ、６Ｂ，６Ｃ，６Ｄ  フラップ、７  送風路、８Ａ  支持ダンパ、２３  ＣＰＵ、３０  電源回路、３１  ダンパ駆動部、３２  フラップ駆動部、３３  Ｉ／Ｆ回路、３３Ａ  フラップ部、４１  送風機、５１  開閉センサ、５２  重量スイッチ、１２１  電源キー。
【図１】
0006681701.tif 000002
【図２】
0006681701.tif 000003
【図３】
0006681701.tif 000004
【図４】
0006681701.tif 000005
【図５】
0006681701.tif 000006
【図６】
0006681701.tif 000007
【図７】
0006681701.tif 000008
【図８】
0006681701.tif 000009
【図９】
0006681701.tif 000010
【図１０】
0006681701.tif 000011
【図１１】
0006681701.tif 000012
【図１２】
0006681701.tif 000013
【図１３】
0006681701.tif 000014